(57)【要約】      （修正有）【課題】Ｖ２ＸまたはＤ２ＤにおけるＳＰＳ有効化／無効化を容易にする無線通信装置および無線通信方法を提供する。【解決手段】ｅＮＢ（無線通信装置）２００は、ＤＣＩ内のＳＰＳ有効化／無効化フィールドを、所定のビットパターンで充填するように動作可能な回路と、ＳＰＳ有効化／無効化フィールドに基づいて、第１のＵＥが第２のＵＥへの定期的な信号の送信を開始するか又は第２のＵＥへの定期的な信号の送信を停止するために、第１のＵＥにＤＣＩを送信するように動作可能な送信部とを備える。ＤＣＩは、ＤＣＩフォーマット５の少なくとも１つのフィールドの一部または全部のビットをＳＰＳ有効化／無効化フィールドとして採用することによって形成されるＳＰＳフォーマットにあり、少なくとも１つのフィールドにおいて送信されるはずの情報は、ＲＲＣまたはＭＡＣシグナリングを用いて、またはそれによって示される。【選択図】図２
2020053984.tif 000002
【特許請求の範囲】
【請求項１】
第１のDownlink Control Information (DCI)フォーマットにSemi Persistent Scheduling (SPS)を有効化／無効化するために用いられる有効化／無効化フィールドを追加して形成される第１のDCIを生成する制御回路と、
前記第１のDCIを第２の無線通信端末に送信する送信機と、
を具備し、
前記有効化／無効化フィールドは、前記第２の無線通信端末が前記SPSのデータを第３の無線通信装置に送信又は停止することを示す、
無線通信装置。
【請求項２】
前記第１のDCIは、前記無線通信装置と前記第３の無線通信装置とのSPS通信に用いられる、
請求項１に記載の無線通信装置。
【請求項３】
第２のDCIフォーマットのサイズが前記第１のDCIフォーマットのサイズより小さい場合、前記第２のDCIフォーマットに対してパディングビットが追加される、
請求項１に記載の無線通信装置。
【請求項４】
前記第２のDCIフォーマットはDCIフォーマット０／１Aであり、前記無線通信装置と前記第２の無線通信装置との通信に用いられる、
請求項３に記載の無線通信装置。
【請求項５】
前記第１のDCIの巡回冗長検査（CRC）のビットはSPS特有の無線ネットワーク一時識別子（ＲＮＴＩ）を用いてスクランブルされる、
請求項１に記載の無線通信装置。
【請求項６】
前記第１のDCIは、RRCシグナルで決定されるサブセットから時間リソースを指示する時間リソースフィールドを含む、
請求項１に記載の無線通信装置。
【請求項７】
無線通信装置が、
第１のDownlink Control Information (DCI)フォーマットにSemi Persistent Scheduling (SPS)を有効化／無効化するために用いられる有効化／無効化フィールドを追加して形成される第１のDCIを生成する生成ステップと、
前記第１のDCIを第２の無線通信端末に送信する送信ステップと、
を具備し、
前記有効化／無効化フィールドは、前記第２の無線通信端末が前記SPSのデータを第３の無線通信装置に送信又は停止することを示す、
無線通信方法。
【請求項８】
前記第１のDCIは、前記無線通信装置と前記第３の無線通信装置とのSPS通信に用いられる、
請求項７に記載の無線通信方法。
【請求項９】
第２のDCIフォーマットのサイズが前記第１のDCIフォーマットのサイズより小さい場合、前記第２のDCIフォーマットに対してパディングビットが追加される、
請求項７に記載の無線通信方法。
【請求項１０】
前記第２のDCIフォーマットはDCIフォーマット０／１Aであり、前記無線通信装置と前記第２の無線通信装置との通信に用いられる、
請求項９に記載の無線通信方法。
【請求項１１】
前記第１のDCIの巡回冗長検査（CRC）のビットはSPS特有の無線ネットワーク一時識別子（ＲＮＴＩ）を用いてスクランブルされる、
請求項７に記載の無線通信方法。
【請求項１２】
前記第１のDCIは、RRCシグナルで決定されるサブセットから時間リソースを指示する時間リソースフィールドを含む、
請求項７に記載の無線通信方法。
【請求項１３】
第１のDownlink Control Information (DCI)フォーマットにSemi Persistent Scheduling (SPS)を有効化／無効化するために用いられる有効化／無効化フィールドを追加して形成される第１のDCIを生成する処理と、
前記第１のDCIを第２の無線通信端末に送信する処理と、
を制御し、
前記有効化／無効化フィールドは、前記第２の無線通信端末が前記SPSのデータを第３の無線通信装置に送信又は停止することを示す、
集積回路。
【発明の詳細な説明】
【技術分野】
【０００１】
本開示は、無線通信の分野に関し、特に、ｅＮｏｄｅＢ（ｅＮＢ）、ユーザ機器（ＵＥ：Ｕｓｅｒ  Ｅｑｕｉｐｍｅｎｔ）、および半静的スケジューリング（ＳＰＳ）の有効化／無効化のための無線通信装置および無線通信方法に関する。
【背景技術】
【０００２】
Ｖ２Ｘとは、車車間の通信（Ｖ２Ｖ）、車両と歩行者との間の通信（Ｖ２Ｐ）、車両とインフラストラクチャとの間の通信（Ｖ２Ｉ）、または車両とネットワークとの間の通信（Ｖ２Ｎ）を意味する。これは現在、３ＧＰＰ  ＲＡＮ１で議論されており、研究の出発点の１つは、ＬＴＥ  Ｒｅｌ．１２／Ｒｅｌ．１３デバイス間（Ｄ２Ｄ）フレームワークに基づく。
【発明の概要】
【発明が解決しようとする課題】
【０００３】
１つの非限定的かつ例示的な実施形態は、Ｖ２ＸまたはＤ２ＤにおけるＳＰＳ有効化／無効化を容易にする手法を提供する。
【課題を解決するための手段】
【０００４】
本開示の第１の一般的な態様において、ｅＮｏｄｅＢ（ｅＮＢ）であって、ダウンリンク制御情報（ＤＣＩ）内の半静的スケジューリング（ＳＰＳ）有効化／無効化フィールドを、所定のビットパターンで充填するように動作可能な回路と、ＳＰＳ有効化／無効化フィールドに基づいて、第１のユーザ機器（ＵＥ）が第２のＵＥへの定期的な信号の送信を開始するか、または、第２のＵＥへの定期的な信号の送信を停止するために、第１のＵＥにＤＣＩを送信するように動作可能な送信部とを備え、ＤＣＩは、ＤＣＩフォーマット５の少なくとも１つのフィールドの一部または全部のビットをＳＰＳ有効化／無効化フィールドとして採用することによって形成されるＳＰＳフォーマットにあり、少なくとも１つのフィールドにおいて送信されるはずの情報は、無線リソース制御（ＲＲＣ）またはメディアアクセス制御（ＭＡＣ）シグナリングを用いて、またはそれによって示される、ｅＮｏｄｅＢ（ｅＮＢ）が提供される。
【０００５】
本開示の第２の一般的な態様では、ｅＮｏｄｅＢ（ｅＮＢ）であって、ダウンリンク制御情報（ＤＣＩ）の巡回冗長検査（ＣＲＣ）を無線ネットワーク一時識別子（ＲＮＴＩ）によってスクランブルするように動作可能な回路と、第１のユーザ機器（ＵＥ）が、第２のＵＥに信号を１回送信すべきか、第２のＵＥへの定期的な信号の送信を開始すべきか、または第２のＵＥへの定期的な信号の送信を停止すべきかをＲＮＴＩのみに基づいて決定するために、第１のＵＥにＤＣＩを送信するように動作可能な送信部とを備え、ＤＣＩはＤＣＩフォーマット５にある、ｅＮｏｄｅＢ（ｅＮＢ）が提供される。
【０００６】
本開示の第３の一般的態様において、ｅＮｏｄｅＢ（ｅＮＢ）であって、第１のダウンリンク制御情報（ＤＣＩ）内の半静的スケジューリング（ＳＰＳ）有効化／無効化フィールドを所定のビットパターンで充填するように動作可能な回路と、ＳＰＳ有効化／無効化フィールドに基づいて、第１のユーザ機器（ＵＥ）が、第２のＵＥに信号を１回送信するか、第２のＵＥへの定期的な信号の送信を開始するか、または第２のＵＥへの定期的な信号の送信を停止するために、第１のＵＥに第１のＤＣＩを送信するように動作可能な送信部とを備え、第１のＤＣＩはＳＰＳ有効化／無効化フィールドをＤＣＩフォーマット５にさらに追加することによって形成されるフォーマットにあり、送信部はまた、第１のＵＥがｅＮＢに信号を送信するために、第１のＵＥに第２のＤＣＩを送信するようにも動作可能であり、第２のＤＣＩは、すべてのレガシーフィールドがイネーブルされているＤＣＩフォーマット０／１Ａにあるか、または、第１のＤＣＩのサイズが第２のＤＣＩのサイズと同じになるように、ＤＣＩフォーマット５に追加されているものと同じフィールドをＤＣＩフォーマット０／１Ａに追加することによって形成されるフォーマットにある、ｅＮｏｄｅＢ（ｅＮＢ）が提供される。
【０００７】
本開示の第４の一般的な態様において、ユーザ機器（ＵＥ）であって、ｅＮｏｄｅＢ（ｅＮＢ）から送信されるダウンリンク制御情報（ＤＣＩ）を受信するように動作可能な受信部と、ＤＣＩ内のＳＰＳ有効化／無効化フィールドに基づいて、別のＵＥへの定期的な信号の送信を開始するか、または、上記別のＵＥへの定期的な信号の送信を停止するように動作可能な送信部とを備え、ＤＣＩは、ＤＣＩフォーマット５の少なくとも１つのフィールドの一部または全部のビットをＳＰＳ有効化／無効化フィールドとして採用することによって形成されるＳＰＳフォーマットにあり、少なくとも１つのフィールドにおいて送信されるはずの情報は、無線リソース制御（ＲＲＣ）またはメディアアクセス制御（ＭＡＣ）シグナリングを用いて、またはそれによって示される、ユーザ機器（ＵＥ）が提供される。
【０００８】
本開示の第５の一般的な態様では、ユーザ機器（ＵＥ）であって、ｅＮｏｄｅＢ（ｅＮＢ）から送信されるダウンリンク制御情報（ＤＣＩ）を受信するように動作可能な受信部と、別のＵＥに信号を１回送信すべきか、上記別のＵＥへの定期的な信号の送信を開始すべきか、または上記別のＵＥへの定期的な信号の送信を停止すべきかを、ＤＣＩの巡回冗長検査（ＣＲＣ）をスクランブルする無線ネットワーク一時識別子（ＲＮＴＩ）のみに基づいて決定するように動作可能な回路とを備え、ＤＣＩはＤＣＩフォーマット５にある、ユーザ機器（ＵＥ）が提供される。
【０００９】
本開示の第６の一般的態様において、ユーザ機器（ＵＥ）であって、ｅＮｏｄｅＢ（ｅＮＢ）から送信される第１のダウンリンク制御情報（ＤＣＩ）を受信するように動作可能な受信部と、第１のＤＣＩ内のＳＰＳ有効化／無効化フィールドに基づいて、別のＵＥに信号を１回送信するか、上記別のＵＥへの定期的な信号の送信を開始するか、または上記別のＵＥへの定期的な信号の送信を停止するように動作可能な送信部とを備え、第１のＤＣＩはＳＰＳ有効化／無効化フィールドをＤＣＩフォーマット５にさらに追加することによって形成されるフォーマットにあり、受信部はまた、送信部がｅＮＢに信号を送信するために、ｅＮＢから送信される第２のＤＣＩを受信するようにも動作可能であり、第２のＤＣＩは、すべてのレガシーフィールドがイネーブルされているＤＣＩフォーマット０／１Ａにあるか、または、第１のＤＣＩのサイズが第２のＤＣＩのサイズと同じになるように、ＤＣＩフォーマット５に追加されているものと同じフィールドをＤＣＩフォーマット０／１Ａに追加することによって形成されるフォーマットにある、ユーザ機器（ＵＥ）が提供される。
【００１０】
本開示の第７の一般的な態様において、ｅＮｏｄｅＢ（ｅＮＢ）によって実施される無線通信方法であって、ダウンリンク制御情報（ＤＣＩ）内の半静的スケジューリング（ＳＰＳ）有効化／無効化フィールドを、所定のビットパターンで充填する工程と、ＳＰＳ有効化／無効化フィールドに基づいて、第１のユーザ機器（ＵＥ）が第２のＵＥへの定期的な信号の送信を開始するか、または、第２のＵＥへの定期的な信号の送信を停止するために、第１のＵＥにＤＣＩを送信する工程とを含み、ＤＣＩは、ＤＣＩフォーマット５の少なくとも１つのフィールドの一部または全部のビットをＳＰＳ有効化／無効化フィールドとして採用することによって形成されるＳＰＳフォーマットにあり、少なくとも１つのフィールドにおいて送信されるはずの情報は、無線リソース制御（ＲＲＣ）またはメディアアクセス制御（ＭＡＣ）シグナリングを用いて、またはそれによって示される、無線通信方法が提供される。
【００１１】
本開示の第８の一般的な態様では、ｅＮｏｄｅＢ（ｅＮＢ）によって実施される無線通信方法であって、ダウンリンク制御情報（ＤＣＩ）の巡回冗長検査（ＣＲＣ）を無線ネットワーク一時識別子（ＲＮＴＩ）によってスクランブルする工程と、第１のユーザ機器（ＵＥ）が、第２のＵＥに信号を１回送信すべきか、第２のＵＥへの定期的な信号の送信を開始すべきか、または第２のＵＥへの定期的な信号の送信を停止すべきかをＲＮＴＩのみに基づいて決定するために、第１のＵＥにＤＣＩを送信する工程とを含み、ＤＣＩはＤＣＩフォーマット５にある、無線通信方法が提供される。
【００１２】
本開示の第９の一般的態様において、ｅＮｏｄｅＢ（ｅＮＢ）によって実施される無線通信方法であって、第１のダウンリンク制御情報（ＤＣＩ）内の半静的スケジューリング（ＳＰＳ）有効化／無効化フィールドを所定のビットパターンで充填する工程と、ＳＰＳ有効化／無効化フィールドに基づいて、第１のユーザ機器（ＵＥ）が、第２のＵＥに信号を１回送信するか、第２のＵＥへの定期的な信号の送信を開始するか、または第２のＵＥへの定期的な信号の送信を停止するために、第１のＵＥに第１のＤＣＩを送信する工程であり、第１のＤＣＩはＳＰＳ有効化／無効化フィールドをＤＣＩフォーマット５にさらに追加することによって形成されるフォーマットにある、送信する工程と、第１のＵＥがｅＮＢに信号を送信するために、第１のＵＥに第２のＤＣＩを送信する工程であり、第２のＤＣＩは、すべてのレガシーフィールドがイネーブルされているＤＣＩフォーマット０／１Ａにあるか、または、第１のＤＣＩのサイズが第２のＤＣＩのサイズと同じになるように、ＤＣＩフォーマット５に追加されているものと同じフィールドをＤＣＩフォーマット０／１Ａに追加することによって形成されるフォーマットにある、送信する工程とを含む、無線通信方法が提供される。
【００１３】
本開示の第１０の一般的な態様において、ユーザ機器（ＵＥ）によって実施される無線通信方法であって、ｅＮｏｄｅＢ（ｅＮＢ）から送信されるダウンリンク制御情報（ＤＣＩ）を受信する工程と、ＤＣＩ内のＳＰＳ有効化／無効化フィールドに基づいて、別のＵＥへの定期的な信号の送信を開始するか、または、上記別のＵＥへの定期的な信号の送信を停止する工程とを含み、ＤＣＩは、ＤＣＩフォーマット５の少なくとも１つのフィールドの一部または全部のビットをＳＰＳ有効化／無効化フィールドとして採用することによって形成されるＳＰＳフォーマットにあり、少なくとも１つのフィールドにおいて送信されるはずの情報は、無線リソース制御（ＲＲＣ）またはメディアアクセス制御（ＭＡＣ）シグナリングを用いて、またはそれによって示される、無線通信方法が提供される。
【００１４】
本開示の第１１の一般的な態様では、ユーザ機器（ＵＥ）によって実施される無線通信方法であって、ｅＮｏｄｅＢ（ｅＮＢ）から送信されるダウンリンク制御情報（ＤＣＩ）を受信する工程と、別のＵＥに信号を１回送信すべきか、上記別のＵＥへの定期的な信号の送信を開始すべきか、または上記別のＵＥへの定期的な信号の送信を停止すべきかを、ＤＣＩの巡回冗長検査（ＣＲＣ）をスクランブルする無線ネットワーク一時識別子（ＲＮＴＩ）のみに基づいて決定する工程とを含み、ＤＣＩはＤＣＩフォーマット５にある、無線通信方法が提供される。
【００１５】
本開示の第１２の一般的態様において、ユーザ機器（ＵＥ）によって実施される無線通信方法であって、ｅＮｏｄｅＢ（ｅＮＢ）から送信される第１のダウンリンク制御情報（ＤＣＩ）を受信する工程と、第１のＤＣＩ内のＳＰＳ有効化／無効化フィールドに基づいて、別のＵＥに信号を１回送信するか、上記別のＵＥへの定期的な信号の送信を開始するか、または上記別のＵＥへの定期的な信号の送信を停止する工程であり、第１のＤＣＩはＳＰＳ有効化／無効化フィールドをＤＣＩフォーマット５にさらに追加することによって形成されるフォーマットにある、工程と、送信部がｅＮＢに信号を送信するために、ｅＮＢから送信される第２のＤＣＩを受信する工程であり、第２のＤＣＩは、すべてのレガシーフィールドがイネーブルされているＤＣＩフォーマット０／１Ａにあるか、または、第１のＤＣＩのサイズが第２のＤＣＩのサイズと同じになるように、ＤＣＩフォーマット５に追加されているものと同じフィールドをＤＣＩフォーマット０／１Ａに追加することによって形成されるフォーマットにある、受信する工程とを含む、無線通信方法が提供される。
【００１６】
一般的なまたは特定の実施形態は、システム、方法、集積回路、コンピュータプログラム、記憶媒体、またはそれらの任意の選択的組み合わせとして実装され得ることに留意されたい。
【００１７】
開示される実施形態のさらなる利益および利点は、本明細書および図面から明らかになるであろう。利益および／または利点は、そのような利益および／または利点の１つ以上を得るためにすべて提供される必要はない、本明細書および図面の様々な実施形態および特徴によって個別に得ることができる。
【００１８】
本開示の前述の特徴および他の特徴は、添付の図面と併せて以下の説明および添付の特許請求の範囲からより完全に明らかになるであろう。これらの図面は、本開示に係るいくつかの実施形態のみを描写し、したがって、その範囲を限定すると考えられるべきではないという理解のもと、本開示は、添付の図面を使用することにより、さらに具体的かつ詳細に説明される。
【図面の簡単な説明】
【００１９】
【図１】Ｄ２ＤまたはＶ２Ｘにおける例示的なＳＰＳ送信を概略的に示す図
【図２】本開示の実施形態に係るｅＮＢを概略的に示すブロック図
【図３】本開示の実施形態に係るｅＮＢによって実施される無線通信方法のフローチャート
【図４】本開示の実施形態に係るＵＥを概略的に示すブロック図
【図５】本開示の実施形態に係るＵＥによって実施される無線通信方法のフローチャート
【図６】本開示の実施形態に係るｅＮＢによって実施される無線通信方法のフローチャート
【図７】本開示の実施形態に係るＵＥによって実施される無線通信方法のフローチャート
【図８】本開示の実施形態に係るｅＮＢによって実施される無線通信方法のフローチャート
【図９】本開示の実施形態に係るＵＥによって実施される無線通信方法のフローチャート
【発明を実施するための形態】
【００２０】
以下の詳細な説明では、その一部を形成する添付の図面を参照する。図面において、類似の記号は、文脈が別途指示しない限り、一般的には類似の構成要素を特定する。本開示の態様は、多種多様な異なる構成で配置され、置換され、結合され、設計され得、これらのすべてが明示的に企図され、本開示の一部をなすことは容易に理解されるであろう。
【００２１】
Ｄ２ＤまたはＶ２Ｘでは、１つのリソース割り当てモードがｅＮＢスケジューリングに基づく。このモードでは、ｅＮＢは、リソース割り当てのために送信ＵＥにＤＣＩを送信し、送信ＵＥは、ＤＣＩによって示されるリソース割り当てに基づいて、受信ＵＥに信号を送信する。しかしながら、Ｄ２ＤまたはＶ２Ｘグループ内のＵＥ密度は高くなり得、したがって、上述のリソース割り当てプロセスにおいて大きなシグナリングオーバヘッドが生じる。この検討の下で、ＳＰＳは、制御オーバヘッドを節約するための良好なリソース割り当てメカニズムとなり得る。図１は、Ｄ２ＤまたはＶ２Ｘにおける例示的なＳＰＳ送信を概略的に示す。ｅＮＢは、最初にＳＰＳ有効化シグナリングを送信ＵＥに送信し、次いで、送信ＵＥは、ＳＰＳ有効化シグナリングを受信した後、定期的に信号を受信ＵＥに送信する。信号は、スケジューリング割り当て（ＳＡ）期間内に送信することができ、信号は、ＳＡとデータの両方（図１に示すように）またはデータのみを含むことができる。ｅＮＢが定期的送信を停止することを決定した場合、ｅＮＢはＳＰＳ無効化シグナリングを送信ＵＥに送信し、送信ＵＥは、ＳＰＳ無効化シグナリングを受信すると、定期的送信を停止する、すなわち次の期間を開始しない。
【００２２】
本開示では、Ｄ２ＤまたはＶ２ＸにおけるＳＰＳ有効化／無効化のための手法が提案される。この提案は、すべての種類のＤ２ＤまたはＶ２Ｘ通信に適用可能であることに留意されたい。本明細書において、ＵＥとは、Ｄ２ＤまたはＶ２Ｘに適した任意の端末デバイス、例えば、携帯電話、パッド、車両内に設置された任意の無線通信デバイスなどのことを指し、本明細書において、ｅＮＢとは、Ｄ２ＤまたはＶ２Ｘにおけるリソース割り当てに適した任意の基地局のことを指す。
【００２３】
本開示の一実施形態では、図２に示すｅＮＢ２００が提供され、図２は、本開示の一実施形態に係るｅＮＢ２００のブロック図を概略的に示す。ｅＮＢ２００は、ＤＣＩ内のＳＰＳ有効化／無効化フィールドを、所定のビットパターンで充填するように動作可能な回路２０１と、ＳＰＳ有効化／無効化フィールドに基づいて、第１のＵＥが第２のＵＥへの定期的な信号の送信を開始するか、または、第２のＵＥへの定期的な信号の送信を停止するために、第１のＵＥにＤＣＩを送信するように動作可能な送信部２０２とを備えることができ、ＤＣＩは、ＤＣＩフォーマット５の少なくとも１つのフィールドの一部または全部のビットをＳＰＳ有効化／無効化フィールドとして採用することによって形成されるＳＰＳフォーマットにあり、少なくとも１つのフィールドにおいて送信されるはずの情報は、無線リソース制御（ＲＲＣ）またはメディアアクセス制御（ＭＡＣ）シグナリングを用いて、またはそれによって示される。
【００２４】
本実施形態において、ｅＮＢ２００は、第１のＵＥ（送信ＵＥ）の第２の（受信ＵＥ）へのＳＰＳ送信を有効化または無効化するために、ＳＰＳ有効化／無効化フィールドを有するＤＣＩを送信する。ここで、ＳＰＳ有効化／無効化フィールドは、ＳＰＳ送信有効化または停止ＳＰＳ送信無効化を指示するためのフィールドであり、所定のビットパターンで充填することができ、例えば、すべてのビットを”０”または”１”で充填することができ、または、いくつかのビットは「０」で充填され、その他のビットは「１」で充填される。送信ＵＥは、ＤＣＩを受信してＳＰＳ有効化／無効化フィールドを検出すると、ＳＰＳ有効化／無効化フィールドに基づいて、ＳＰＳ送信を有効化するか、または、開始されているＳＰＳ送信を無効化する。例えば、送信ＵＥが、すべてのビットが”０”のＳＰＳ有効化／無効化フィールドを検出すると、送信ＵＥは、受信ＵＥへのＳＰＳ送信を有効化し、送信ＵＥが、すべてのビットが「１」のＳＰＳ有効化／無効化フィールドを検出すると、送信ＵＥは、受信ＵＥへのＳＰＳ送信を無効化する。
【００２５】
実施形態では、上述のＤＣＩは、いくつかのフィールドが変更されている３ＧＰＰ  ＴＳ３６．２１２において指定されているＤＣＩフォーマット５に基づくことができる。具体的には、ＤＣＩは、ＤＣＩフォーマット５の少なくとも１つのフィールドの一部または全部のビットをＳＰＳ有効化／無効化フィールドとして採用することによって形成されるフォーマット（本明細書においてはＳＰＳフォーマットと呼ぶ）にすることができ、例えば、ＳＰＳ有効化／無効化フィールドは、ＤＣＩフォーマット５から６ビット以上を選択することができる。ＬＴＥ  Ｒｅｌ．１２／１３では、３ＧＰＰ  ＴＳ  ３６．２１２において指定されているＤＣＩフォーマット５およびＤＣＩフォーマット０／１Ａは同じサイズで同じ探索空間を共有しているため、ＤＣＩフォーマット５の一部または全部のビットを再利用することによる上述のＳＰＳフォーマットは、ＤＣＩフォーマット５およびＤＣＩフォーマット０／１Ａと同じサイズにすることができ、したがって、ブラインド復号時間は増加しない。
【００２６】
ＤＣＩフォーマット５の一部またはさらには全部のフィールドがＳＰＳ有効化／無効化に再利用できる理由は、可能性として、Ｄ２ＤまたはＶ２ＸにおいてＳＰＳの観点から一部またはさらには任意のフィールドをｅＮＢが動的に示す必要がないためである。したがって、ＲＲＣもしくはＭＡＣシグナリングによって、またはＲＲＣもしくはＭＡＣシグナリングを用いて、再使用されるフィールドにおいて送信されるはずの情報を示すことができる。例えば、ｅＮＢがＳＰＳにおいてＤＣＩを送信することは非常にまれであるため、リソース割り当て（例えば、時間リソースパターン）に迅速に適応することは不可能である。したがって、ＲＲＣまたはＭＡＣシグナリングによって時間リソースパターンを示すことができ、または、ＲＲＣまたはＭＡＣシグナリングを用いて時間リソースパターンを示すことができる。例えば、ｅＮＢは、ＲＲＣまたはＭＡＣシグナリングを介して時間リソースパターンのセットを構成することができ、ＤＣＩ内のほんの数ビットだけが、ＳＰＳ送信のために、構成されたセット内の特定の時間リソースパターンを示すために使用される。このようにして、ＤＣＩフォーマット５における「時間リソースパターン」のフィールドのいくつかのビットを、ＳＰＳ有効化／無効化のために節約することができる。
【００２７】
一例では、ＳＰＳフォーマットにおけるＤＣＩの識別を容易にし、ＳＰＳの有効化／無効化識別のロバスト性を高めるために、ＤＣＩフォーマット５のためのＲＮＴＩからの異なる無線ネットワーク一時識別子（ＲＮＴＩ）（本明細書においてはＳＰＳ  ＲＮＴＩと呼ぶ）を、ＳＰＳフォーマットにおけるＤＣＩの巡回冗長検査（ＣＲＣ）をスクランブルするために適用することができる。別の例では、ＤＣＩにおけるＳＰＳの有効化／無効化を識別するためのビット数が、ＳＰＳ有効化／無効化識別のロバスト性を保証するのに十分に大きいとき、特に、ＤＣＩフォーマット５におけるすべてのフィールドのすべてのビットがＳＰＳ有効化／無効化フィールドとして採用されるとき、ＳＰＳフォーマットにおけるＤＣＩのＣＲＣをスクランブルするためのＲＮＴＩは、ＤＣＩフォーマット５におけるＤＣＩのＣＲＣをスクランブルするためのＲＮＴＩと同じであってもよい。上述したように、Ｄ２ＤまたはＶ２Ｘでは、ｅＮＢが、ＳＰＳの観点から任意のフィールドを動的に示す必要はない場合がある。これを考慮して、ＳＰＳに関するすべての関連情報はＲＲＣまたはＭＡＣシグナリングで示すことができ、ＤＣＩはＳＰＳ有効化／無効化にのみ使用される。この状況では、ＳＰＳ有効化／無効化を識別するために使用されるビットが多いため、ＳＰＳ  ＲＮＴＩは必要ではない場合がある。Ｄ２ＤまたはＶ２Ｘではなくレガシーシステムでは、ｅＮＢがＡＣＫリソースおよびＤＣＩフォーマットタイプ（０または１Ａ）を動的に制御する必要があるため、「ＨＡＲＱ−ＡＣＫリソースオフセット」および「フォーマット０／フォーマット１Ａ差別化フラグ」などのいくつかの情報は、依然としてＤＣＩにおいて示す必要があることに留意されたい。
【００２８】
表１〜表５は、Ｖ２ＸまたはＤ２ＤでのＳＰＳの有効化／無効化に再利用されるＤＣＩフォーマット５におけるビットのいくつかの例を示す。
【表１】
2020053984.tif 000003
【００２９】
表１は、ＤＣＩフォーマット５におけるすべてのフィールドのすべてのビットが、Ｖ２ＸまたはＤ２ＤにおいてＳＰＳ有効化／無効化に使用されることを示す。例えば、すべてのビットが「０」に設定されている場合、これはＳＰＳ有効化を意味し、すべてのビットが「１」に設定されている場合、これはＳＰＳ無効化を意味する。
【表２】
2020053984.tif 000004
【００３０】
表２は、ＤＣＩフォーマット５の「時間リソースパターン」フィールド内のほとんどのビット（ＭＳＢ６ビット）が、Ｖ２ＸまたはＤ２ＤにおいてＳＰＳ有効化／無効化に使用されることを示す。
【表３】
2020053984.tif 000005
【００３１】
表３は、「時間リソースパターン」フィールド、「ＰＳＣＣＨおよびＰＳＳＣＨのためのＴＰＣコマンド」フィールド、および「周波数ホッピングフラグ」フィールド内のいくつかのビットが、Ｖ２ＸまたはＤ２ＤにおいてＳＰＳ有効化／無効化に使用されることを示している。
【表４】
2020053984.tif 000006
【００３２】
表４は、「ＰＳＣＣＨのためのリソース」フィールドおよび「リソースブロック割り付けおよびホッピングリソース割り当て」フィールド内のいくつかのビットが、Ｖ２ＸまたはＤ２ＤにおいてＳＰＳ有効化／無効化に使用されることを示す。この例は、特に３ＧＰＰ  ＲＡＮ１で言及されているサブチャネル概念に適用可能である（ＲＡＮ１  ｃｏｎｔｒｉｂｕｔｉｏｎ  Ｒ１−１５６６０７参照）。サブチャネル概念が適用される場合、基本割り当て単位は、複数のＰＲＢから構成されるサブチャネルであり、ＰＳＣＣＨが各サブチャネル内でＰＲＢの一部分内に配置されるため、「ＰＳＣＣＨのためのリソース」フィールドおよび「リソースブロック割り付けおよびホッピングリソース割り当て」フィールドを単純化することができる。これらのフィールドの一部のビットのみがサブチャネルの表示に使用され、その他のビットはＶ２ＸまたはＤ２ＤにおけるＳＰＳ有効化／無効化に使用することができる。
【表５】
2020053984.tif 000007
【００３３】
表５は、有効化および無効化が異なるフィールドを使用できることを示しており、特に、「時間リソースパターン」フィールド内のＭＳＢ６ビットがＳＰＳ有効化に使用され、すべてのフィールドがＳＰＳ無効化に使用される。
【００３４】
加えて、図２に示すように、本開示に係るｅＮＢ２００は、随意選択的に、ｅＮＢ２００内のそれぞれのユニットの様々なデータおよび制御動作を処理するための関連プログラムを実行するＣＰＵ（中央処理装置（Ｃｅｎｔｒａｌ  Ｐｒｏｃｅｓｓｉｎｇ  Ｕｎｉｔ））２１０、ＣＰＵ２１０によって様々なプロセスおよび制御を行うために必要な様々なプログラムを格納するＲＯＭ（読み出し専用メモリ（Ｒｅａｄ  Ｏｎｌｙ  Ｍｅｍｏｒｙ））２１３、ＣＰＵ２１０によるプロセスおよび制御の過程で一時的に生成される中間データを格納するＲＡＭ（ランダムアクセスメモリ（Ｒａｎｄｏｍ  Ａｃｃｅｓｓ  Ｍｅｍｏｒｙ））２１５、および／または、様々なプログラム、データなどを格納する記憶装置２１７を含んでもよい。上記回路２０１、送信部２０２、ＣＰＵ２１０、ＲＯＭ２１３、ＲＡＭ２１５および／または記憶装置２１７などは、データおよび／またはコマンドバス２２０を介して相互接続され、相互間で信号を転送することができる。
【００３５】
上述のそれぞれの構成要素は、本開示の範囲を限定するものではない。本開示の一実装形態によれば、上述の回路２０１および送信部２０２の機能はハードウェアによって実装されてもよく、上述のＣＰＵ２１０、ＲＯＭ２１３、ＲＡＭ２１５および／または記憶装置２１７は必要でなくてもよい。代替的に、上述の回路２０１および送信部２０２の機能はまた、上述のＣＰＵ２１０、ＲＯＭ２１３、ＲＡＭ２１５、および／または記憶装置２１７などと組み合わせた機能ソフトウェアによって実装されてもよい。
【００３６】
ｅＮＢ２００はまた、第１のＵＥから信号を受信するように動作可能な受信部を備えることができる。一実施形態では、第１のＵＥが定期的に第２のＵＥに信号を送信するとき、すなわちＳＰＳ送信中に、受信部は、第１のＵＥからサイドリンクのためのサイドリンクバッファステータス報告（ＢＳＲ）メッセージまたはスケジューリング要求（ＳＲ）を受信しない。
【００３７】
図３は、本開示の実施形態に係るｅＮＢ（例えばｅＮＢ２００）によって実施される無線通信方法３００のフローチャートを示す。無線通信方法３００は、ＤＣＩ内のＳＰＳ有効化／無効化フィールドを、所定のビットパターンで充填する工程３０１と、ＳＰＳ有効化／無効化フィールドに基づいて、第１のＵＥが第２のＵＥへの定期的な信号の送信を開始するか、または、第２のＵＥへの定期的な信号の送信を停止するために、第１のＵＥにＤＣＩを送信する工程３０２とを含むことができ、ＤＣＩは、ＤＣＩフォーマット５の少なくとも１つのフィールドの一部または全部のビットをＳＰＳ有効化／無効化フィールドとして採用することによって形成されるＳＰＳフォーマットにあり、少なくとも１つのフィールドにおいて送信されるはずの情報は、ＲＲＣまたはＭＡＣシグナリングを用いて、またはそれによって示される。ｅＮＢ２００について上述した詳細および利点は、無線通信方法３００にも適用することができる。
【００３８】
したがって、本開示の実施形態は、送信ＵＥとしてのＵＥと、送信ＵＥによって実行される無線通信方法とを提供する。
【００３９】
図４は、本開示の実施形態に係る、送信ＵＥとしてのＵＥ４００のブロック図を概略的に示す。ＵＥ４００は、ｅＮＢから送信されるＤＣＩを受信するように動作可能な受信部４０１と、ＤＣＩ内のＳＰＳ有効化／無効化フィールドに基づいて、別のＵＥ（受信ＵＥ）への定期的な信号の送信を開始するか、または、上記別のＵＥへの定期的な信号の送信を停止するように動作可能な送信部４０２とを備えることができ、ＤＣＩは、ＤＣＩフォーマット５の少なくとも１つのフィールドの一部または全部のビットをＳＰＳ有効化／無効化フィールドとして採用することによって形成されるＳＰＳフォーマットにあり、少なくとも１つのフィールドにおいて送信されるはずの情報は、ＲＲＣまたはＭＡＣシグナリングを用いて、またはそれによって示される。随意選択的に、送信部４０２は、定期的に信号を受信ＵＥに送信するときに、サイドリンクのためのサイドリンクＢＳＲメッセージまたはＳＲをｅＮＢに送信しない。
【００４０】
本開示に係るＵＥ４００は、随意選択的に、ＵＥ４００内のそれぞれのユニットの様々なデータおよび制御動作を処理するための関連プログラムを実行するＣＰＵ（中央処理装置（Ｃｅｎｔｒａｌ  Ｐｒｏｃｅｓｓｉｎｇ  Ｕｎｉｔ））４１０、ＣＰＵ４１０によって様々なプロセスおよび制御を行うために必要な様々なプログラムを格納するＲＯＭ（読み出し専用メモリ（Ｒｅａｄ  Ｏｎｌｙ  Ｍｅｍｏｒｙ））４１３、ＣＰＵ４１０によるプロセスおよび制御の過程で一時的に生成される中間データを格納するＲＡＭ（ランダムアクセスメモリ（Ｒａｎｄｏｍ  Ａｃｃｅｓｓ  Ｍｅｍｏｒｙ））４１５、および／または、様々なプログラム、データなどを格納する記憶装置４１７を含んでもよい。上述の受信部４０１、送信部４０２、ＣＰＵ４１０、ＲＯＭ４１３、ＲＡＭ４１５および／または記憶装置４１７などは、データおよび／またはコマンドバス４２０を介して相互接続され、相互間で信号を転送することができる。
【００４１】
上述のそれぞれの構成要素は、本開示の範囲を限定するものではない。本開示の一実装形態によれば、上述の受信部４０１および送信部４０２の機能はハードウェアによって実装されてもよく、上述のＣＰＵ４１０、ＲＯＭ４１３、ＲＡＭ４１５および／または記憶装置４１７は必要でなくてもよい。代替的に、上述の受信部４０１および送信部４０２の機能はまた、上述のＣＰＵ４１０、ＲＯＭ４１３、ＲＡＭ４１５、および／または記憶装置４１７などと組み合わせた機能ソフトウェアによって実装されてもよい。
【００４２】
図５は、本開示の実施形態に係るＵＥ（例えば送信ＵＥ４００）によって実施される無線通信方法５００のフローチャートを示す。無線通信方法５００は、ｅＮＢから送信されるＤＣＩを受信する工程５０１と、ＤＣＩ内のＳＰＳ有効化／無効化フィールドに基づいて、別のＵＥ（受信ＵＥ）への定期的な信号の送信を開始するか、または、上記別のＵＥへの定期的な信号の送信を停止する工程５０２とを含むことができ、ＤＣＩは、ＤＣＩフォーマット５の少なくとも１つのフィールドの一部または全部のビットをＳＰＳ有効化／無効化フィールドとして採用することによって形成されるＳＰＳフォーマットにあり、少なくとも１つのフィールドにおいて送信されるはずの情報は、ＲＲＣまたはＭＡＣシグナリングを用いて、またはそれによって示される。
【００４３】
文脈がそうでないことを示さない限り、ｅＮＢ側について上述した詳細および利点は、ＵＥ側にも適用できることに留意されたい。
【００４４】
別の実施形態では、ＳＰＳ有効化／無効化は、純粋にＲＮＴＩによってトリガすることができ、ＳＰＳ有効化／無効化に使用される特別なフィールドは存在しない。例えば、ＳＰＳ  ＲＮＴＩ  １はＳＰＳ有効化に使用され、ＳＰＳ  ＲＮＴＩ  ２はＳＰＳ無効化に使用され、別のＲＮＴＩは非ＳＰＳ送信（ワンタイム送信）に使用される。したがって、ＤＣＩを受信するＵＥは、ＤＣＩのＣＲＣをスクランブルするＲＮＴＩに基づいて、ＳＰＳ送信を有効化するか、ＳＰＳ送信を無効化するか、またはワンタイム送信を実行するかを決定することができる。
【００４５】
したがって、図６は、本開示の一実施形態に係るｅＮＢによって実施される無線通信方法６００のフローチャートを示す。無線通信方法６００は、ＤＣＩのＣＲＣをＲＮＴＩによってスクランブルする工程６０１と、第１のＵＥが、第２のＵＥに信号を１回送信すべきか、第２のＵＥへの定期的な信号の送信を開始すべきか、または第２のＵＥへの定期的な信号の送信を停止すべきかをＲＮＴＩのみに基づいて決定するために、第１のＵＥにＤＣＩを送信する工程６０２とを含むことができ、ＤＣＩはＤＣＩフォーマット５にある。この実施形態では、第１のＵＥ（送信ＵＥ）は、ＤＣＩのフォーマットを変更することなく、純粋に、ＤＣＩのＣＲＣをスクランブルするために使用されたＲＮＴＩに基づいて、ワンタイム送信を実行するか、ＳＰＳ送信を有効化するか、またはＳＰＳ送信を無効化するかを決定することができる。したがって、同じＤＣＩフォーマットをＳＰＳ送信および非ＳＰＳ送信に使用することができる。
【００４６】
本開示の一実施形態はまた、上述の方法６００を実施するためのｅＮＢをも提供する。ｅＮＢは、ＤＣＩのＣＲＣをＲＮＴＩによってスクランブルするように動作可能な回路と、第１のＵＥが、第２のＵＥに信号を１回送信すべきか、第２のＵＥへの定期的な信号の送信を開始すべきか、または第２のＵＥへの定期的な信号の送信を停止すべきかをＲＮＴＩのみに基づいて決定するために、第１のＵＥにＤＣＩを送信するように動作可能な送信部とを備え、ＤＣＩはＤＣＩフォーマット５にある。この実施形態におけるｅＮＢのブロック図は、図２に示す構造を参照することができる。
【００４７】
図７は、本開示の一実施形態に係るＵＥによって実施される無線通信方法７００のフローチャートを示す。無線通信方法７００は、ｅＮＢから送信されるＤＣＩを受信する工程７０１と、別のＵＥに信号を１回送信すべきか、上記別のＵＥへの定期的な信号の送信を開始すべきか、または上記別のＵＥへの定期的な信号の送信を停止すべきかを、ＤＣＩのＣＲＣをスクランブルするＲＮＴＩのみに基づいて決定する工程７０２とを含み、ＤＣＩはＤＣＩフォーマット５にある。
【００４８】
本開示の一実施形態はまた、上述の方法７００を実施するためのＵＥをも提供する。ＵＥは、ｅＮＢから送信されるＤＣＩを受信するように動作可能な受信部と、別のＵＥに信号を１回送信すべきか、上記別のＵＥへの定期的な信号の送信を開始すべきか、または上記別のＵＥへの定期的な信号の送信を停止すべきかを、ＤＣＩのＣＲＣをスクランブルするＲＮＴＩのみに基づいて決定するように動作可能な回路とを備え、ＤＣＩはＤＣＩフォーマット５にある。この実施形態におけるＵＥのブロック図は、送信部４０２が上述の回路に置き換えられている点を除いて、図４に示す構造を参照することができる。
【００４９】
別の実施形態では、ＳＰＳ有効化／無効化のための新しいフィールドをＤＣＩフォーマット５内に追加することができ、ＤＣＩフォーマット０／１Ａもまた新しいフィールドと共に追加されるか、または、ＤＣＩフォーマット０／１Ａのサイズを、変更されているＤＣＩフォーマット５のサイズ、例えば、ＣＡまたは非ＣＡに関係なく「ＣＦＩ」フィールド（３ビット）、ＦＤＤまたはＴＤＤに関係なく「ＵＬインデックス」フィールド（２ビット）、およびＦＤＤまたはＴＤＤに関係なく「ダウンリンク割り付けインデックス」（２ビット）、と同じにするために、Ｖ２ＸまたはＤ２Ｄ  ＳＰＳがイネーブルされている場合、ＦＤＤ／ＴＤＤ、ダウンリンク／アップリンク、ＣＡ／非ＣＡ（キャリアアグリゲーション）に関係なく、ＤＣＩフォーマット０／１Ａ内のすべてのレガシーフィールドが自動的にイネーブルされる。ＤＣＩフォーマット０／１Ａサイズが依然として、変更されているＤＣＩフォーマット５と整列するのに十分な大きさでない場合、パディングビットを追加することができる。このように、変更後のＤＣＩフォーマット０／１ＡおよびＤＣＩフォーマット５のサイズは、依然として同一に保たれ、ブラインド復号時間を増加させることはない。
【００５０】
したがって、図８は、本開示の一実施形態に係るｅＮＢによって実施される無線通信方法８００のフローチャートを示す。無線通信方法８００は、第１のＤＣＩ内のＳＰＳ有効化／無効化フィールドを所定のビットパターンで充填する工程８０１と、ＳＰＳ有効化／無効化フィールドに基づいて、第１のＵＥが、第２のＵＥに信号を１回送信するか、第２のＵＥへの定期的な信号の送信を開始するか、または第２のＵＥへの定期的な信号の送信を停止するために、第１のＵＥに第１のＤＣＩを送信する工程８０２であり、第１のＤＣＩはＳＰＳ有効化／無効化フィールドをＤＣＩフォーマット５にさらに追加することによって形成されるフォーマットにある、送信する工程８０２と、第１のＵＥがｅＮＢに信号を送信するために、第１のＵＥに第２のＤＣＩを送信する工程８０３であり、第２のＤＣＩは、すべてのレガシーフィールドがイネーブルされているＤＣＩフォーマット０／１Ａにあるか、または、第１のＤＣＩのサイズが第２のＤＣＩのサイズと同じになるように、ＤＣＩフォーマット５に追加されているものと同じフィールドをＤＣＩフォーマット０／１Ａに追加することによって形成されるフォーマットにある、送信する工程８０３とを含むことができる。方法８００における上述の工程は、必ずしも上述の順序で実行されるとは限らないことに留意されたい。例えば、工程８０３は、工程８０１および８０２の前に実行することができる。
【００５１】
方法８００では、第１のＤＣＩは、ＳＰＳ有効化／無効化フィールドを追加することによって変更されているＤＣＩフォーマット５にあり、Ｄ２ＤまたはＶ２Ｘに使用される。変更されているＤＣＩフォーマット５のＳＰＳ有効化／無効化フィールドは、第１のＵＥ（送信ＵＥ）が第２のＵＥ（受信ＵＥ）に対してワンタイム送信を実行すべきか、第２のＵＥへのＳＰＳ送信を開始すべきか、または第２のＵＥへのＳＰＳ送信を停止すべきかを示す。第２のＤＣＩは、レガシー無線通信（すなわち、ｅＮＢとＵＥとの間の通信）に使用され、ＤＣＩフォーマット５に追加されたＳＰＳ有効化／無効化フィールドと同じフィールドを追加することによって変更されているＤＣＩフォーマット０／１Ａにあるか、または、第１のＤＣＩと第２のＤＣＩとが同じサイズを有するように、すべてのレガシーフィールドがイネーブルされている元のＤＣＩフォーマット０／１Ａにある。
【００５２】
表６は、ＳＰＳの有効化／無効化に使用される新しいフィールドがＤＣＩフォーマット０／１ＡとＤＣＩフォーマット５の両方において追加されることを示している。このように、ＤＣＩフォーマット０／１Ａは依然としてＤＣＩフォーマット５と同じサイズを維持する。
【表６】
2020053984.tif 000008
【００５３】
表７は、ＦＤＤ／ＴＤＤ、ダウンリンク／アップリンク、およびＣＡ／非ＣＡに関係なくすべてのフィールドをイネーブルすることによってＤＣＩフォーマット０／１Ａサイズが最大化され、ＤＣＩフォーマット５において新しいフィールドが追加されることを示す。このようにして、２つのＤＣＩは、ブラインド復号時間が増加しないように、同じサイズを維持することもできる。
【表７】
2020053984.tif 000009
【００５４】
本開示の一実施形態はまた、上述の方法８００を実施するためのｅＮＢをも提供する。ｅＮＢは、第１のＤＣＩ内のＳＰＳ有効化／無効化フィールドを所定のビットパターンで充填するように動作可能な回路と、ＳＰＳ有効化／無効化フィールドに基づいて、第１のＵＥが、第２のＵＥに信号を１回送信するか、第２のＵＥへの定期的な信号の送信を開始するか、または第２のＵＥへの定期的な信号の送信を停止するために、第１のＵＥに第１のＤＣＩを送信するように動作可能な送信部とを備え、第１のＤＣＩはＳＰＳ有効化／無効化フィールドをＤＣＩフォーマット５にさらに追加することによって形成されるフォーマットにあり、送信部はまた、第１のＵＥがｅＮＢに信号を送信するために、第１のＵＥに第２のＤＣＩを送信するようにも動作可能であり、第２のＤＣＩは、すべてのレガシーフィールドがイネーブルされているＤＣＩフォーマット０／１Ａにあるか、または、第１のＤＣＩのサイズが第２のＤＣＩのサイズと同じになるように、ＤＣＩフォーマット５に追加されているものと同じフィールドをＤＣＩフォーマット０／１Ａに追加することによって形成されるフォーマットにある。この実施形態におけるｅＮＢのブロック図は、図２に示す構造を参照することができる。
【００５５】
送信ＵＥ側について、図９は、本開示の実施形態に係るＵＥによって実施される無線通信方法９００のフローチャートを示す。無線通信方法９００は、ｅＮＢから送信される第１のＤＣＩを受信する工程９０１と、第１のＤＣＩ内のＳＰＳ有効化／無効化フィールドに基づいて、別のＵＥに信号を１回送信するか、上記別のＵＥへの定期的な信号の送信を開始するか、または上記別のＵＥへの定期的な信号の送信を停止する工程９０２であり、第１のＤＣＩはＳＰＳ有効化／無効化フィールドをＤＣＩフォーマット５にさらに追加することによって形成されるフォーマットにある、工程９０２と、送信部がｅＮＢに信号を送信するために、ｅＮＢから送信される第２のＤＣＩを受信する工程９０３であり、第２のＤＣＩは、すべてのレガシーフィールドがイネーブルされているＤＣＩフォーマット０／１Ａにあるか、または、第１のＤＣＩのサイズが第２のＤＣＩのサイズと同じになるように、ＤＣＩフォーマット５に追加されているものと同じフィールドをＤＣＩフォーマット０／１Ａに追加することによって形成されるフォーマットにある、受信する工程９０３とを含むことができる。
【００５６】
本開示の一実施形態はまた、上述の方法９００を実施するためのＵＥをも提供する。ＵＥは、ｅＮＢから送信される第１のＤＣＩを受信するように動作可能な受信部と、第１のＤＣＩ内のＳＰＳ有効化／無効化フィールドに基づいて、別のＵＥに信号を１回送信するか、上記別のＵＥへの定期的な信号の送信を開始するか、または上記別のＵＥへの定期的な信号の送信を停止するように動作可能な送信部とを備え、第１のＤＣＩはＳＰＳ有効化／無効化フィールドをＤＣＩフォーマット５にさらに追加することによって形成されるフォーマットにあり、受信部はまた、送信部がｅＮＢに信号を送信するために、ｅＮＢから送信される第２のＤＣＩを受信するようにも動作可能であり、第２のＤＣＩは、すべてのレガシーフィールドがイネーブルされているＤＣＩフォーマット０／１Ａにあるか、または、第１のＤＣＩのサイズが第２のＤＣＩのサイズと同じになるように、ＤＣＩフォーマット５に追加されているものと同じフィールドをＤＣＩフォーマット０／１Ａに追加することによって形成されるフォーマットにある。この実施形態におけるＵＥのブロック図は、図４に示す構造を参照することができる。
【００５７】
本開示は、ソフトウェア、ハードウェア、またはハードウェアと協働するソフトウェアによって実現することができる。上述した各実施形態の説明で用いた各機能ブロックは、集積回路としてのＬＳＩによって実現することができ、各実施形態で説明した各処理をＬＳＩによって制御することができる。それらはチップとして個別に形成されてもよく、または、機能ブロックの一部または全部を含むように１つのチップを形成してもよい。それらは、それに結合されたデータ入力および出力を含むことができる。ここで、ＬＳＩとは、集積度の違いによって、ＩＣ、システムＬＳＩ、スーパーＬＳＩ、ウルトラＬＳＩと称される場合がある。ただし、集積回路を実装する技法は、ＬＳＩに限定されず、専用回路または汎用プロセッサを用いて実現されてもよい。加えて、ＬＳＩの製造後にプログラム可能なＦＰＧＡ（フィールドプログラマブルゲートアレイ（Ｆｉｅｌｄ  Ｐｒｏｇｒａｍｍａｂｌｅ  Ｇａｔｅ  Ａｒｒａｙ））、または、ＬＳＩ内部に配置される回路セルの接続および設定を再構成可能な再構成可能プロセッサを用いてもよい。
【００５８】
本開示は、本開示の内容および範囲から逸脱することなく、本明細書および既知の技術に提示された説明に基づいて当業者によって様々に変更または修正されることを意図しており、そのような変更および適用は、保護されるように特許請求されている範囲内に入ることに留意されたい。さらに、開示内容を逸脱しない範囲で、上述の実施形態の構成要素を任意に組み合わせてもよい。
【００５９】
本開示の実施形態は、少なくとも以下の主題を提供することができる。
【００６０】
１．ｅＮｏｄｅＢ（ｅＮＢ）であって、
ダウンリンク制御情報（ＤＣＩ）内の半静的スケジューリング（ＳＰＳ）有効化／無効化フィールドを、所定のビットパターンで充填するように動作可能な回路と、
ＳＰＳ有効化／無効化フィールドに基づいて、第１のユーザ機器（ＵＥ）が第２のＵＥへの定期的な信号の送信を開始するか、または、第２のＵＥへの定期的な信号の送信を停止するために、第１のＵＥにＤＣＩを送信するように動作可能な送信部と
を備え、ＤＣＩは、ＤＣＩフォーマット５の少なくとも１つのフィールドの一部または全部のビットをＳＰＳ有効化／無効化フィールドとして採用することによって形成されるＳＰＳフォーマットにあり、少なくとも１つのフィールドにおいて送信されるはずの情報は、無線リソース制御（ＲＲＣ）またはメディアアクセス制御（ＭＡＣ）シグナリングを用いて、またはそれによって示される、ｅＮｏｄｅＢ（ｅＮＢ）。
【００６１】
２．ＤＣＩフォーマット５におけるすべてのフィールドのすべてのビットがＳＰＳ有効化／無効化フィールドとして採用され、
ＳＰＳフォーマットにおけるＤＣＩの巡回冗長検査（ＣＲＣ）をスクランブルするための無線ネットワーク一時識別子（ＲＮＴＩ）は、ＤＣＩフォーマット５におけるＤＣＩのＣＲＣをスクランブルするためのＲＮＴＩと同じである、１に記載のｅＮｏｄｅＢ。
【００６２】
３．第１のＵＥから信号を受信するように動作可能な受信部を備え、第１のＵＥが定期的に第２のＵＥに信号を送信するとき、受信部は、第１のＵＥからサイドリンクのためのサイドリンクバッファステータス報告（ＢＳＲ）メッセージまたはスケジューリング要求（ＳＲ）を受信しない、１または２に記載のｅＮｏｄｅＢ。
【００６３】
４．ｅＮｏｄｅＢ（ｅＮＢ）であって、
ダウンリンク制御情報（ＤＣＩ）の巡回冗長検査（ＣＲＣ）を無線ネットワーク一時識別子（ＲＮＴＩ）によってスクランブルするように動作可能な回路と、
第１のユーザ機器（ＵＥ）が、第２のＵＥに信号を１回送信すべきか、第２のＵＥへの定期的な信号の送信を開始すべきか、または第２のＵＥへの定期的な信号の送信を停止すべきかをＲＮＴＩのみに基づいて決定するために、第１のＵＥにＤＣＩを送信するように動作可能な送信部と
を備え、ＤＣＩはＤＣＩフォーマット５にある、ｅＮｏｄｅＢ（ｅＮＢ）。
【００６４】
５．ｅＮｏｄｅＢ（ｅＮＢ）であって、
第１のダウンリンク制御情報（ＤＣＩ）内の半静的スケジューリング（ＳＰＳ）有効化／無効化フィールドを所定のビットパターンで充填するように動作可能な回路と、
ＳＰＳ有効化／無効化フィールドに基づいて、第１のユーザ機器（ＵＥ）が、第２のＵＥに信号を１回送信するか、第２のＵＥへの定期的な信号の送信を開始するか、または第２のＵＥへの定期的な信号の送信を停止するために、第１のＵＥに第１のＤＣＩを送信するように動作可能な送信部と
を備え、第１のＤＣＩはＳＰＳ有効化／無効化フィールドをＤＣＩフォーマット５にさらに追加することによって形成されるフォーマットにあり、
送信部はまた、第１のＵＥがｅＮＢに信号を送信するために、第１のＵＥに第２のＤＣＩを送信するようにも動作可能であり、第２のＤＣＩは、すべてのレガシーフィールドがイネーブルされているＤＣＩフォーマット０／１Ａにあるか、または、第１のＤＣＩのサイズが第２のＤＣＩのサイズと同じになるように、ＤＣＩフォーマット５に追加されているものと同じフィールドをＤＣＩフォーマット０／１Ａに追加することによって形成されるフォーマットにある、ｅＮｏｄｅＢ（ｅＮＢ）。
【００６５】
６．ユーザ機器（ＵＥ）であって、
ｅＮｏｄｅＢ（ｅＮＢ）から送信されるダウンリンク制御情報（ＤＣＩ）を受信するように動作可能な受信部と、
ＤＣＩ内のＳＰＳ有効化／無効化フィールドに基づいて、別のＵＥへの定期的な信号の送信を開始するか、または、上記別のＵＥへの定期的な信号の送信を停止するように動作可能な送信部と
を備え、ＤＣＩは、ＤＣＩフォーマット５の少なくとも１つのフィールドの一部または全部のビットをＳＰＳ有効化／無効化フィールドとして採用することによって形成されるＳＰＳフォーマットにあり、少なくとも１つのフィールドにおいて送信されるはずの情報は、無線リソース制御（ＲＲＣ）またはメディアアクセス制御（ＭＡＣ）シグナリングを用いて、またはそれによって示される、ユーザ機器（ＵＥ）。
【００６６】
７．ＤＣＩフォーマット５におけるすべてのフィールドのすべてのビットがＳＰＳ有効化／無効化フィールドとして採用され、
ＳＰＳフォーマットにおけるＤＣＩの巡回冗長検査（ＣＲＣ）をスクランブルするための無線ネットワーク一時識別子（ＲＮＴＩ）は、ＤＣＩフォーマット５におけるＤＣＩのＣＲＣをスクランブルするためのＲＮＴＩと同じである、６に記載のユーザ機器。
【００６７】
８．送信部は、定期的に信号を上記別のＵＥに送信するときに、サイドリンクのためのサイドリンクバッファステータス報告（ＢＳＲ）メッセージまたはスケジューリング要求（ＳＲ）をｅＮＢに送信しない、６または７に記載のユーザ機器。
【００６８】
９．ユーザ機器（ＵＥ）であって、
ｅＮｏｄｅＢ（ｅＮＢ）から送信されるダウンリンク制御情報（ＤＣＩ）を受信するように動作可能な受信部と、
別のＵＥに信号を１回送信すべきか、上記別のＵＥへの定期的な信号の送信を開始すべきか、または上記別のＵＥへの定期的な信号の送信を停止すべきかを、ＤＣＩの巡回冗長検査（ＣＲＣ）をスクランブルする無線ネットワーク一時識別子（ＲＮＴＩ）のみに基づいて決定するように動作可能な回路と
を備え、ＤＣＩはＤＣＩフォーマット５にある、ユーザ機器（ＵＥ）。
【００６９】
１０．ユーザ機器（ＵＥ）であって、
ｅＮｏｄｅＢ（ｅＮＢ）から送信される第１のダウンリンク制御情報（ＤＣＩ）を受信するように動作可能な受信部と、
第１のＤＣＩ内のＳＰＳ有効化／無効化フィールドに基づいて、別のＵＥに信号を１回送信するか、上記別のＵＥへの定期的な信号の送信を開始するか、または上記別のＵＥへの定期的な信号の送信を停止するように動作可能な送信部と
を備え、第１のＤＣＩはＳＰＳ有効化／無効化フィールドをＤＣＩフォーマット５にさらに追加することによって形成されるフォーマットにあり、
受信部はまた、送信部がｅＮＢに信号を送信するために、ｅＮＢから送信される第２のＤＣＩを受信するようにも動作可能であり、
第２のＤＣＩは、すべてのレガシーフィールドがイネーブルされているＤＣＩフォーマット０／１Ａにあるか、または、第１のＤＣＩのサイズが第２のＤＣＩのサイズと同じになるように、ＤＣＩフォーマット５に追加されているものと同じフィールドをＤＣＩフォーマット０／１Ａに追加することによって形成されるフォーマットにある、ユーザ機器（ＵＥ）。
【００７０】
１１．ｅＮｏｄｅＢ（ｅＮＢ）によって実施される無線通信方法であって、
ダウンリンク制御情報（ＤＣＩ）内の半静的スケジューリング（ＳＰＳ）有効化／無効化フィールドを、所定のビットパターンで充填する工程と、
ＳＰＳ有効化／無効化フィールドに基づいて、第１のユーザ機器（ＵＥ）が第２のＵＥへの定期的な信号の送信を開始するか、または、第２のＵＥへの定期的な信号の送信を停止するために、第１のＵＥにＤＣＩを送信する工程と
を含み、ＤＣＩは、ＤＣＩフォーマット５の少なくとも１つのフィールドの一部または全部のビットをＳＰＳ有効化／無効化フィールドとして採用することによって形成されるＳＰＳフォーマットにあり、少なくとも１つのフィールドにおいて送信されるはずの情報は、無線リソース制御（ＲＲＣ）またはメディアアクセス制御（ＭＡＣ）シグナリングを用いて、またはそれによって示される、無線通信方法。
【００７１】
１２．ＤＣＩフォーマット５におけるすべてのフィールドのすべてのビットがＳＰＳ有効化／無効化フィールドとして採用され、
ＳＰＳフォーマットにおけるＤＣＩの巡回冗長検査（ＣＲＣ）をスクランブルするための無線ネットワーク一時識別子（ＲＮＴＩ）は、ＤＣＩフォーマット５におけるＤＣＩのＣＲＣをスクランブルするためのＲＮＴＩと同じである、１１に記載の無線通信方法。
【００７２】
１３．ｅＮｏｄｅＢ（ｅＮＢ）によって実施される無線通信方法であって、
ダウンリンク制御情報（ＤＣＩ）の巡回冗長検査（ＣＲＣ）を無線ネットワーク一時識別子（ＲＮＴＩ）によってスクランブルする工程と、
第１のユーザ機器（ＵＥ）が、第２のＵＥに信号を１回送信すべきか、第２のＵＥへの定期的な信号の送信を開始すべきか、または第２のＵＥへの定期的な信号の送信を停止すべきかをＲＮＴＩのみに基づいて決定するために、第１のＵＥにＤＣＩを送信する工程と
を含み、ＤＣＩはＤＣＩフォーマット５にある、無線通信方法。
【００７３】
１４．ｅＮｏｄｅＢ（ｅＮＢ）によって実施される無線通信方法であって、
第１のダウンリンク制御情報（ＤＣＩ）内の半静的スケジューリング（ＳＰＳ）有効化／無効化フィールドを所定のビットパターンで充填する工程と、
ＳＰＳ有効化／無効化フィールドに基づいて、第１のユーザ機器（ＵＥ）が、第２のＵＥに信号を１回送信するか、第２のＵＥへの定期的な信号の送信を開始するか、または第２のＵＥへの定期的な信号の送信を停止するために、第１のＵＥに第１のＤＣＩを送信する工程であり、第１のＤＣＩはＳＰＳ有効化／無効化フィールドをＤＣＩフォーマット５にさらに追加することによって形成されるフォーマットにある、送信する工程と、
第１のＵＥがｅＮＢに信号を送信するために、第１のＵＥに第２のＤＣＩを送信する工程であり、第２のＤＣＩは、すべてのレガシーフィールドがイネーブルされているＤＣＩフォーマット０／１Ａにあるか、または、第１のＤＣＩのサイズが第２のＤＣＩのサイズと同じになるように、ＤＣＩフォーマット５に追加されているものと同じフィールドをＤＣＩフォーマット０／１Ａに追加することによって形成されるフォーマットにある、送信する工程と
を含む、無線通信方法。
【００７４】
１５．ユーザ機器（ＵＥ）によって実施される無線通信方法であって、
ｅＮｏｄｅＢ（ｅＮＢ）から送信されるダウンリンク制御情報（ＤＣＩ）を受信する工程と、
ＤＣＩ内のＳＰＳ有効化／無効化フィールドに基づいて、別のＵＥへの定期的な信号の送信を開始するか、または、上記別のＵＥへの定期的な信号の送信を停止する工程と
を含み、ＤＣＩは、ＤＣＩフォーマット５の少なくとも１つのフィールドの一部または全部のビットをＳＰＳ有効化／無効化フィールドとして採用することによって形成されるＳＰＳフォーマットにあり、少なくとも１つのフィールドにおいて送信されるはずの情報は、無線リソース制御（ＲＲＣ）またはメディアアクセス制御（ＭＡＣ）シグナリングを用いて、またはそれによって示される、無線通信方法。
【００７５】
１６．ＤＣＩフォーマット５におけるすべてのフィールドのすべてのビットがＳＰＳ有効化／無効化フィールドとして採用され、
ＳＰＳフォーマットにおけるＤＣＩの巡回冗長検査（ＣＲＣ）をスクランブルするための無線ネットワーク一時識別子（ＲＮＴＩ）は、ＤＣＩフォーマット５におけるＤＣＩのＣＲＣをスクランブルするためのＲＮＴＩと同じである、１５に記載の無線通信方法。
【００７６】
１７．ユーザ機器（ＵＥ）によって実施される無線通信方法であって、
ｅＮｏｄｅＢ（ｅＮＢ）から送信されるダウンリンク制御情報（ＤＣＩ）を受信する工程と、
別のＵＥに信号を１回送信すべきか、上記別のＵＥへの定期的な信号の送信を開始すべきか、または上記別のＵＥへの定期的な信号の送信を停止すべきかを、ＤＣＩの巡回冗長検査（ＣＲＣ）をスクランブルする無線ネットワーク一時識別子（ＲＮＴＩ）のみに基づいて決定する工程と
を含み、ＤＣＩはＤＣＩフォーマット５にある、無線通信方法。
【００７７】
１８．ユーザ機器（ＵＥ）によって実施される無線通信方法であって、
ｅＮｏｄｅＢ（ｅＮＢ）から送信される第１のダウンリンク制御情報（ＤＣＩ）を受信する工程と、
第１のＤＣＩ内のＳＰＳ有効化／無効化フィールドに基づいて、別のＵＥに信号を１回送信するか、上記別のＵＥへの定期的な信号の送信を開始するか、または上記別のＵＥへの定期的な信号の送信を停止する工程であり、第１のＤＣＩはＳＰＳ有効化／無効化フィールドをＤＣＩフォーマット５にさらに追加することによって形成されるフォーマットにある、工程と、
送信部がｅＮＢに信号を送信するために、ｅＮＢから送信される第２のＤＣＩを受信する工程であり、第２のＤＣＩは、すべてのレガシーフィールドがイネーブルされているＤＣＩフォーマット０／１Ａにあるか、または、第１のＤＣＩのサイズが第２のＤＣＩのサイズと同じになるように、ＤＣＩフォーマット５に追加されているものと同じフィールドをＤＣＩフォーマット０／１Ａに追加することによって形成されるフォーマットにある、受信する工程と
を含む、無線通信方法。
【００７８】
加えて、本開示の実施形態はまた、上述のそれぞれの通信方法の工程（複数可）を実行するためのモジュール（複数可）を含む集積回路を提供することもできる。さらに、本発明の実施形態は、コンピューティング装置上で実行されたときに、上述のそれぞれの通信方法の工程（複数可）を実行するプログラムコードを含むコンピュータプログラムを記憶したコンピュータ可読記憶媒体を提供することもできる。
【図１】
2020053984.tif 000010
【図２】
2020053984.tif 000011
【図３】
2020053984.tif 000012
【図４】
2020053984.tif 000013
【図５】
2020053984.tif 000014
【図６】
2020053984.tif 000015
【図７】
2020053984.tif 000016
【図８】
2020053984.tif 000017
【図９】
2020053984.tif 000018